(57)【要約】【課題】複数回の落下に対して、落下衝撃から被包装物を安定して守ることができる緩衝性能の優れた包装材を提供する。【解決手段】包装材は外箱２と中箱１０とを備え、中箱１０は、被包装物Ｐを載置するための中敷１１と、中敷１１を保持する足部１８とを有している。中敷１１は、水平面を有する被包装物載置部１２と、足部１８に連接している傾斜面を有する腕部１４とを有している。被包装物載置部１２と腕部１４とは、折り目１６を間にして連接している。折り目１６は、例えばミシン目やＶ字カットやヒンジなどを形成した部分であり、被包装物載置部１２や腕部１４より機械的強度が低い。【選択図】図１
2009073520.tif 000002
【特許請求の範囲】
【請求項１】
外箱と前記外箱内に配設される中箱とを備えた包装材であって、
前記中箱が被包装物を載置するための中敷と前記中敷を保持する足部とを有し、
前記中敷が前記被包装物載置部と前記中箱の足部に連接している腕部とを有し、かつ、前記被包装物載置部と前記腕部とが折り目を間にして連接していること、
を特徴とする、包装材。
【請求項２】
前記中敷の被包装物載置面側が凹形状になるように、前記折り目で折り曲げられていることを特徴とする、請求項１に記載の包装材。
【発明の詳細な説明】
【技術分野】
【０００１】
本発明は、輸送および保管時において被包装物を保護するための包装材に関する。
【背景技術】
【０００２】
従来より、輸送および保管時において被包装物を保護するための包装材として、例えば特許文献１に記載のものが知られている。この包装材は、段ボールなどの緩衝材をつぶして落下時の衝撃を吸収するものである。しかし、被包装物が軽量のときには、段ボールによる緩衝効果が十分に得られない場合がある。その場合、段ボールをつぶすのではなく、曲げることによって緩衝効果を得る方法がある。
【０００３】
すなわち、図９に示すように、包装材は段ボール製外箱６２と段ボール製中箱６４とを備え、中箱６４は被包装物Ｐを載置するための中敷６８と中敷６８を保持する足部６６とを有している。被包装物Ｐは中敷６８の中央部に載置され、その周囲を緩衝材７０にて充填している。外箱６２の底および蓋の内フラップ、外フラップは折り畳まれ、テープ類で封緘されている。そして、この包装材が矢印Ａ方向に落下して地面等に衝突したときは、中敷６８が矢印Ａ方向に湾曲することにより、落下時の衝撃を吸収して被包装物Ｐを保護する。
【０００４】
【特許文献１】特開平５−２７０５６７号公報
【発明の開示】
【発明が解決しようとする課題】
【０００５】
しかしながら、被包装物Ｐが軽量物（言い換えると、機械的強度の弱い物）である場合には、中敷６８より被包装物Ｐの方が機械的強度が弱くなることがある。この場合、落下時に中敷６８が十分に湾曲しないため、中敷６８が落下時の衝撃を吸収せず、被包装物Ｐを保護することができない場合があった。
【０００６】
また、包装材を複数回落下させてしまった場合、図１０において一点鎖線７２で例示するように、中敷６８が不規則に変形してしまう。このため、図１１に示すように、被包装物Ｐの中敷６８上での姿勢が不安定となる。この結果、中敷６８は落下時の衝撃を安定して吸収することが困難となり、被包装物Ｐを確実に保護することができないという問題が発生する。
【０００７】
それゆえに、本発明の主たる目的は、複数回の落下に対して、落下衝撃から被包装物を安定して守ることができる緩衝性能の優れた包装材を提供することである。
【課題を解決するための手段】
【０００８】
請求項１に係る発明は、外箱と外箱内に配設される中箱とを備えた包装材であって、中箱が被包装物を載置するための中敷と中敷を保持する足部とを有し、中敷が被包装物載置部と中箱の足部に連接している腕部とを有し、かつ、被包装物載置部と腕部とが折り目を間にして連接していることを特徴とする、包装材である。
【０００９】
折り目とは、例えばミシン目やＶ字カットやヒンジなどを形成して、被包装物載置部や腕部より機械的強度を低くしている部分をいう。また、包装材の代表例としては、紙段ボールやプラスチック段ボールなどがある。
【００１０】
請求項１の発明では、中敷が被包装物載置部と中箱の足部に連接している腕部とを有し、かつ、被包装物載置部と腕部とが折り目を間にして連接している構成であるため、落下時の衝撃力が機械的強度の弱い折り目に加わり、予め形成されているミシン目やＶ字カットなどに沿って変形する。従って、包装材を複数回落下させた場合であっても、中敷が折り目で規則的に変形するため、被包装物の中敷上での載置が安定したものになる。
【００１１】
また、被包装物が軽量物（言い換えると、機械的強度の弱い物）であっても、被包装物より中敷の折り目の方が機械的強度が弱いため、中敷の折り目が落下時の衝撃を吸収して変形し、被包装物を保護することができる。
【００１２】
請求項２に係る発明は、請求項１に係る発明に従属する発明であって、中敷の被包装物載置面側が凹形状になるように、折り目で折り曲げられていることを特徴とする、包装材である。
【００１３】
請求項２の発明では、中敷の被包装物載置面側が凹形状になるように、折り目で折り曲げられているため、落下時の衝撃力が２方向に分散され、被包装物載置部に一局集中しない。さらに、落下時においては、中敷は機械的強度が弱い部分（折り目）から腕部、被包装物載置部へと変形するため、被包装物の姿勢が安定し易い。
【発明の効果】
【００１４】
本発明に係る包装材によれば、中敷が、被包装物載置部と腕部とが折り目を間にして連接している構成であるため、落下時の衝撃力が機械的強度の弱い折り目に加わり、中敷が折り目で規則的に変形するため、被包装物の中敷上での載置が安定したものになる。この結果、複数回の落下に対して、落下衝撃から被包装物を安定して守ることができる緩衝性能の優れた包装材を得ることができる。
【００１５】
本発明の上述の目的、その他の目的、特徴および利点は、図面を参照して行う以下の発明を実施するための最良の形態の説明から一層明らかとなろう。
【発明を実施するための最良の形態】
【００１６】
（第１実施形態、図１〜図３）
図１は本発明に係る包装材の第１実施形態を示す概略断面構成図であり、図２および図３はそれぞれ被包装物Ｐを載置した状態の中箱１０の斜視図および断面図である。
【００１７】
図１に示すように、包装材は外箱２と中箱１０とを備え、これらは紙段ボールやプラスチック段ボール、あるいは厚紙等でできている。外箱２は、四つの面からなる胴部８と、胴部８の上部に連接された内フラップ４ａおよび外フラップ６ａと、胴部８の下部に連接された内フラップ４ｂおよび外フラップ６ｂとを有している。
【００１８】
中箱１０は、被包装物Ｐを載置するための中敷１１と、中敷１１を保持する足部１８とを有している。中敷１１は、水平面を有する被包装物載置部１２と、足部１８に連接している傾斜面を有する腕部１４とを有している。被包装物載置部１２と腕部１４とは、折り目１６を間にして連接している。折り目１６は、例えばミシン目やＶ字カットやヒンジなどを形成した部分であり、被包装物載置部１２や腕部１４より機械的強度が低い。そして、中敷１１の被包装物載置面側が凹形状になるように、折り目１６で折り曲げられている。
【００１９】
被包装物Ｐは中敷１１の中央部に設けられた被包装物載置部１２上に載置され、その周囲を緩衝材２０にて充填している。緩衝材２０としては発泡スチロールなどが用いられる。
【００２０】
以上の構成からなる包装材は、外箱２の下部に連接した内フラップ４ｂ、外フラップ６ｂを折り畳んでステッチングワイヤなどで固定して外箱２の底にする。そして、被包装物Ｐが載置された中箱１０を外箱６２内に挿入した後、緩衝材２０を被包装物Ｐの周囲に挿入する。次に、外箱２の上部に連接した内フラップ４ａ、外フラップ６ａを折り畳んでステッチングワイヤなどで固定して外箱２の蓋にする。
【００２１】
こうして梱包された包装材は、矢印Ａ方向に落下して地面等に衝突したときは、落下時の衝撃力が機械的強度の弱い折り目１６に加わり、予め形成されているミシン目やＶ字カットなどに沿って変形する。また、包装材を複数回落下させた場合であっても、中敷１１が折り目１６で規則的に変形して、折り目１６がバネ機能を発揮するため、被包装物Ｐの中敷１１上での姿勢が安定したものになる。この結果、複数回の落下に対して、落下衝撃から被包装物Ｐを安定して守ることができる緩衝性能の優れた包装材を得ることができる。
【００２２】
特に、本第１実施形態では、中敷１１の被包装物載置面が凹形状になるように、折り目１６で折り曲げられているため、図３に示すように落下時の衝撃力ＦがＦ１とＦ２の２方向に分散され、被包装物載置部１２に一局集中しない。さらに、落下時においては、中敷１１は機械的強度が一番弱い部分（折り目１６）から変形し、次に腕部１４が変形し、最後に被包装物載置部１２が変形するため、被包装物Ｐの姿勢がより一層安定し易くなる。
【００２３】
また、被包装物Ｐが軽量物（言い換えると、機械的強度の弱い物）であっても、被包装物Ｐより中敷１１の折り目１６の方が機械的強度が弱いため、中敷１１の折り目１６が落下時の衝撃を吸収して変形し、機械的強度の弱い被包装物Ｐを保護することができる。
【００２４】
また、折り目１６は中敷１１にミシン目やＶ字カットやヒンジなどを形成するだけであり、別に新たに部品を設ける必要がないため、製造コストの増加も殆んどない。
【００２５】
（第２実施形態、図４および図５）
図４は本発明に係る包装材の第２実施形態を示す概略断面構成図であり、図５は被包装物Ｐを載置した中箱１０Ａの斜視図である。なお、図４および図５において、前記第１実施形態の図１および図２と同様の部品ならびに部分には同一の符号を付し、その詳細な説明は省略する。
【００２６】
中箱１０Ａは、被包装物Ｐを載置するための中敷１１Ａと、中敷１１Ａを保持する足部１８とを有している。中敷１１Ａは、被包装物載置部１２と、足部１８に連接している腕部１４とを有している。腕部１４の一部は切り起こされ、突起１９を形成している。この突起１９の先端は、図４に示すように、外箱２の上部の内フラップ４ａに圧接して、中箱１０Ａの足部１８が内側へ撓まないように支える働きをする。
【００２７】
被包装物載置部１２と腕部１４とは、折り目１６を間にして連接して一体的に水平面を形成している。折り目１６は、例えばミシン目やＶ字カットやヒンジなどを形成した部分であり、被包装物載置部１２や腕部１４より機械的強度が低い。
【００２８】
本第２実施形態の包装材は、矢印Ａ方向に落下して地面等に衝突したときは、落下時の衝撃力が機械的強度の弱い折り目１６に加わり、予め形成されているミシン目やＶ字カットなどに沿って変形する。
【００２９】
また、包装材を複数回落下させた場合であっても、中敷１１が折り目１６で規則的に変形して、折り目１６がバネ機能を発揮するため、被包装物Ｐの中敷１１上での姿勢が安定したものになる。この結果、複数回の落下に対して、落下衝撃から被包装物Ｐを安定して守ることができる緩衝性能の優れた包装材を得ることができる。すなわち、折り目１６を設けるだけで、落下衝撃から被包装物Ｐを安定して守ることができる緩衝性能の優れた包装材となり、製造コストの安価な包装材が得られる。
【００３０】
（第３実施形態、図６〜図８）
図６は本発明に係る包装材の第３実施形態を示す概略断面構成図であり、図７および図８はそれぞれ被包装物Ｐを載置した状態の中箱１０Ｂの斜視図および断面図である。なお、図６〜図８において、前記第１実施形態の図１〜図３と同様の部品ならびに部分には同一の符号を付し、その詳細な説明は省略する。
【００３１】
中箱１０Ａは、被包装物Ｐを載置するための中敷１１Ａと、中敷１１Ａを保持する足部１８とを有している。中敷１１Ａは、被包装物載置部１２と、足部１８に連接している腕部１４とを有している。被包装物載置部１２と腕部１４とは、折り目１６を間にして連接して一体的に水平面を形成している。折り目１６は、例えばミシン目やＶ字カットやヒンジなどを形成した部分であり、被包装物載置部１２や腕部１４より機械的強度が低い。
【００３２】
腕部１４および被包装物載置部１２の一部は切り起こされ、突起１９を形成している。この突起１９の先端は、図６に示すように、外箱２の上部の内フラップ４ａに接触していない。なお、被包装物Ｐの周囲には緩衝材が充填されていない。
【００３３】
本第３実施形態の包装材は、矢印Ａ方向に落下して地面等に衝突したときは、図８に示すように落下時の衝撃力が機械的強度の弱い折り目１６に加わり、予め形成されているミシン目やＶ字カットなどに沿って変形する。そして、突起１９は、被包装物Ｐ側に撓み、被包装物Ｐが被包装物載置部１２上を動き（転げ）回らないように支持する。
【００３４】
なお、本発明は前記実施の形態に限定されるものではなく、その要旨の範囲内で種々に変形される。例えば、第１実施形態の中箱１０の腕部１４の一部を切り起こして、突起１９を形成してもよい。また、中箱１０，１０Ａ，１０Ｂの被包装物載置部１２には、軽量化のための穴が形成されていてもよい。
【図面の簡単な説明】
【００３５】
【図１】本発明に係る包装材の第１実施形態を示す概略断面構成図である。
【図２】被包装物を載置した状態の中箱を示す斜視図である。
【図３】被包装物を載置した状態の中箱を示す断面図である。
【図４】本発明に係る包装材の第２実施形態を示す概略断面構成図である。
【図５】被包装物を載置した中箱を示す斜視図である。
【図６】本発明に係る包装材の第３実施形態を示す概略断面構成図である。
【図７】被包装物を載置した状態の中箱を示す斜視図である。
【図８】被包装物を載置した状態の中箱を示す断面図である。
【図９】従来例を示す概略断面構成図である。
【図１０】被包装物を載置した状態の中箱を示す平面図である。
【図１１】図１０のＸＩ−ＸＩ断面図である。
【符号の説明】
【００３６】
２  外箱
１０，１０Ａ，１０Ｂ  内箱
１１，１１Ａ  中敷
１２  被包装物載置部
１４  腕部
１６  折り目
１８  足部
【図１】
2009073520.tif 000003
【図２】
2009073520.tif 000004
【図３】
2009073520.tif 000005
【図４】
2009073520.tif 000006
【図５】
2009073520.tif 000007
【図６】
2009073520.tif 000008
【図７】
2009073520.tif 000009
【図８】
2009073520.tif 000010
【図９】
2009073520.tif 000011
【図１０】
2009073520.tif 000012
【図１１】
2009073520.tif 000013